(57)【特許請求の範囲】
【請求項１】
（Ａ）通気路と、操作窓の形成された前壁とを有する換気本体と、
（Ｂ）前記換気本体の内部に閉位置と開位置との間で移動可能に収容され、前記閉位置のとき前記通気路を閉じ、前記開位置のとき前記通気路を開く開閉板と、
（Ｃ）前記前壁に沿う開閉操作方向へスライドするようにして前記換気本体に収容され、かつ前記スライドによって前記開閉板を前記閉位置と前記開位置との間で移動させるように前記開閉板に連携された操作つまみと、
を備え、前記操作つまみが、
（ａ）前記操作窓に臨む前側の開口と、後側を向く筐底部とを有して、前記開閉操作方向へスライド可能な内筐と、
（ｂ）前記内筐に対して前後へ移動可能なようにして、前記内筺に収容されたつまみ部材と、
（ｃ）前記内筐の筐底部と前記つまみ部材との間に圧縮状態で設けられ、前記内筺を後方へ付勢するとともに、前記つまみ部材を前記前壁に押し当たるように前方へ付勢することによって前記操作つまみを前記換気本体に係止する弾性部材と、
を有し、前記つまみ部材を前記弾性部材の付勢に抗して後方へ押して前記操作つまみをスライド操作する換気装置において、
前記内筐の前記開口の縁には鍔が設けられており、前記弾性部材による付勢によって、前記鍔が前記前壁の操作窓の縁に前側から係止され、更に前記操作つまみが前記前壁に係止されることを特徴とする換気装置。
【請求項２】
前記操作つまみが、（ｄ）前記操作窓に臨む開口を有して、前記換気本体内に前記開閉操作方向へスライド可能に収容されるとともに前記開閉板に係合された外筐を、更に備え、
この外筐に前記内筐が収容されるとともに、前記つまみ部材と外筐とが互いに結合され、前記弾性部材による付勢によって前記内筐の前記鍔と前記外筐とが前記前壁を前後から挟み付け、前記つまみ部材が前記外筐を介して間接的に前記前壁に押し当てられることを特徴とする請求項１に記載の換気装置。
【請求項３】
前記外筐には外筐側係合部が設けられ、前記つまみ部材にはつまみ側係合部が設けられ、前記内筐には切欠部が形成され、この切欠部を通して前記外筐側係合部とつまみ側係合部とが互いに係合されていることを特徴とする請求項２に記載の換気装置。
【請求項４】
前記外筐の前側開口部の前記開閉操作方向の両側には、それぞれ前記開閉操作方向に延出する一対の翼部が設けられており、
前記内筐が、前記操作窓の前記開閉操作方向の一端部の縁に当接するとき、この端部と同側の翼部が前記前壁の後側を向く裏面に当たり、反対側の翼部が、前記操作窓の他端部の縁に係止されることを特徴とする請求項２又は３に記載の換気装置。
【発明の詳細な説明】
【技術分野】
【０００１】
本発明は、サッシ戸等に取り付けられて室内外を換気する換気装置に関する。
【背景技術】
【０００２】
サッシ戸等の上部または下部に設置された細長い換気装置は公知である。この換気装置を用いれば、サッシ戸を閉めたままで換気を行なうことができる。図１３に示すように、例えば特許文献１に記載の換気装置は、換気本体１の前壁２に操作窓２ａが形成され、この操作窓２ａに操作つまみ３が嵌め込まれている。操作つまみ３は、操作窓２ａに臨むつまみ部材４と、その奥に配置された受け部材５とを有している。つまみ部材４と受け部材５との間に圧縮コイルバネ６が設けられている。この圧縮コイルバネ６によって、つまみ部材４が前方へ付勢される一方、受け部材５が後方へ付勢され換気本体１の後壁７に押し当てられている。つまみ部材４には、操作窓２ａから突出する凸部４ａと、両側に延出する一対の翼部４ｂ，４ｂとが設けられている。凸部４ａが操作窓２ａの一端の縁に突き当たるとき、同側の翼部４ｂが前壁２の裏面に当たり、反対側の翼部４ｂの段差４ｃが操作窓の他端の縁に係止されるようになっている。
【特許文献１】特開平８−１１４０７０号公報
【発明の開示】
【発明が解決しようとする課題】
【０００３】
上掲従来の装置では、換気本体１の前壁２と後壁７との間の距離精度がシビアに要求されていた。この前後の壁２，７間の距離Ｄが小さすぎると、つまみ部材４を少し押しただけでその脚部４ｄが後壁７に突き当たり、翼部４ｂの段差４ｃを操作窓２ａの縁から解除するのが困難になってしまう。一方、前後の壁２，７間の距離Ｄが大きすぎると、つまみ部材４を押したとき、その脚部４ｄが後壁７に当たらないうちに、凸部４ａが操作窓２ａの奥に没して前壁２の裏面に引っ掛かりやすくなってしまう。たとえ、製造段階では精度を確保できていても、温度変化などで前後の壁２，７が変形し、精度が狂うおそれもある。また、前壁２と後壁７との間の距離Ｄに応じて圧縮コイルバネ６の付勢力も変動してしまう。
【課題を解決するための手段】
【０００４】
本発明は、上記問題点を解決するために提案されたものであり、
（Ａ）通気路と、操作窓の形成された前壁とを有する換気本体と、
（Ｂ）前記換気本体の内部に閉位置と開位置との間で移動可能に収容され、前記閉位置のとき前記通気路を閉じ、前記開位置のとき前記通気路を開く開閉板と、
（Ｃ）前記前壁に沿う開閉操作方向へスライドするようにして前記換気本体に収容され、かつ前記スライドによって前記開閉板を前記閉位置と前記開位置との間で移動させるように前記開閉板に連携された操作つまみと、
を備え、前記操作つまみが、
（ａ）前記操作窓に臨む前側の開口と、後側を向く筐底部とを有して、前記開閉操作方向へスライド可能な内筐と、
（ｂ）前記内筐に対して前後へ移動可能なようにして、前記内筺に収容されたつまみ部材と、
（ｃ）前記内筐の筐底部と前記つまみ部材との間に圧縮状態で設けられ、前記内筺を後方へ付勢するとともに、前記つまみ部材を前記前壁に押し当たるように前方へ付勢することによって前記操作つまみを前記換気本体に係止する弾性部材と、
を有し、前記つまみ部材を前記弾性部材の付勢に抗して後方へ押して前記操作つまみをスライド操作する換気装置において、
前記内筐の前記開口の縁には鍔が設けられており、前記弾性部材による付勢によって、前記鍔が前記前壁の操作窓の縁に前側から係止され、更に前記操作つまみが前記前壁に係止されることを特徴とする。
これによって、換気装置の前後の壁の間隔に拘わらず、操作つまみを安定的に開閉操作することができる。
【０００５】
前記操作つまみが、（ｄ）前記操作窓に臨む開口を有して、前記換気本体内に前記開閉操作方向へスライド可能に収容されるとともに前記開閉板に係合された外筐を、更に備え、
この外筐に前記内筐が収容されるとともに、前記つまみ部材と外筐とが互いに結合され、前記弾性部材による付勢によって前記内筐の前記鍔と前記外筐とが前記前壁を前後から挟み付け、前記つまみ部材が前記外筐を介して間接的に前記前壁に押し当てられることが好ましい。
これによって、操作つまみを前壁の操作窓に確実に係合させることができる。
【０００６】
前記外筐には外筐側係合部が設けられ、前記つまみ部材にはつまみ側係合部が設けられ、前記内筐には切欠部が形成され、この切欠部を通して前記外筐側係合部とつまみ側係合部とが互いに係合されていることが好ましい。
これによって、外筐とつまみ部材を確実に結合させることができる。
【０００７】
前記外筐の前側開口部の前記開閉操作方向の両側には、それぞれ前記開閉操作方向に延出する一対の翼部が設けられており、
前記内筐が、前記操作窓の前記開閉操作方向の一端部の縁に当接するとき、この端部と同側の翼部が前記前壁の後側を向く裏面に当たり、反対側の翼部が、前記操作窓の他端部の縁に係止されることが好ましい。
これによって、操作つまみを開位置又は閉位置に確実にロックさせることができる。
【発明の効果】
【０００８】
本発明によれば、換気装置の前後の壁の間隔に拘わらず、操作つまみを安定的に開閉操作することができる。
【発明を実施するための最良の形態】
【０００９】
以下、本発明の一実施形態を、図面を参照して説明する。
図３に示すように、換気装置１０は、換気本体１１と、開閉板２０と、操作つまみ３０とを備えている。
【００１０】
換気本体１１は、２つのアルミ型材１２，１３を有している。これら型材１２，１３は、左右（図３の紙面直交方向）に延びている。一方の型材１２は、室内に面する前壁１４を有し、他方の型材１３は、室外に面する後壁１５を有している。２つの型材１２，１３の間に通気路１０ａが形成されている。
【００１１】
図１に示すように、前壁１４には、多数の縦長スリット状の前側開口１４ａが、左右に等ピッチで並んで形成されている。図２に示すように、後壁１５には、多数の縦長スリット状の開口１５ａが、左右に等ピッチで並んで形成されている。図３に示すように、通気路１０ａが、前壁１４の開口１４ａを介して室内に連なり、後壁１５の開口１５ａを介して室外に連なっている。これにより、室内外が換気されるようになっている。
【００１２】
換気本体１１の内部に開閉板２０が収容されている。開閉板２０の上端部には軸部２１が設けられ、この軸部２１が、型材１２の上側部に形成されたコ字空間状の軸受部１２ａに移動可能（左右スライド可能かつ回転可能）に嵌め込まれている。開閉板２０の下端部には、突起２２が設けられている。この突起２２が、換気本体１１の内部に設けられたカム部材１６のカム溝１６ａに挿入されている。開閉板２０の左右スライドに伴って突起２２がカム溝１６ａに案内される。これにより、開閉板２０が、軸部２１を中心にして垂直をなす閉位置（図３の実線）と、下端部が後方へ傾いた開位置（図３の仮想線）との間で回転されるようになっている。開閉板２０が閉位置のとき、通気路１０ａが閉ざされ、開閉板２０が開位置のとき、通気路１０ａが開かれるようになっている。
前壁１４の裏面にはパッキン１９が設けられている。このパッキン１９により、閉位置の開閉板２０と前壁１４との間がシールされるようになっている。
【００１３】
図１及び図３に示すように、換気本体１１の前壁１４には操作窓１４ｂが形成されている。操作窓１４ｂは、長手方向を左右に向けた大略長方形をなしている。図３及び図４に示すように、この操作窓１４ｂに操作つまみ３０が装着されている。操作つまみ３０は、開閉板２０に連携されている。図５及び図６に示すように、この操作つまみ３０で開閉板２０が左右（開閉操作方向）にスライドされ、通気路１０ａが開閉操作されるようになっている。
【００１４】
操作つまみ３０の詳細構造を説明する。
図４〜図７に示すように、操作つまみ３０は、外筐３１と、内筐３２と、つまみ部材３３と、圧縮コイルばね３４（弾性部材）とを有している。
【００１５】
図７及び図１０に示すように、外筐３１は、樹脂にて構成され、長手方向を左右に向けて前側（図１０において上）に開口された大略直方体をなしている。図４に示すように、外筐３１の前側開口３１ａの上下の縁には、鍔３１ｂが設けられている。
【００１６】
図７に示すように、外筐３１の開口３１ａの左右の縁から一対の翼部３５が左右外側へ一体的に延びている。外筐３１と片方の翼部３５とを合わせた左右方向の長さが、操作窓１４ｂの左右方向の長さより若干大きくなっている。
【００１７】
一方（開側）の翼部３５の前面には「開」の文字が刻印され、他方（閉側）の翼部３５の前面には「閉」の文字が刻印されている。翼部３５の前面には突出部３５ａが設けられている。突出部３５ａは、翼部３５の上下と先端側の周縁に沿うように正面視コ字状をなしている。図８（ｂ）及び図１０に示すように、突出部３５ａの突出端面（両図において上面）は、先端側に向かうにしたがって前側（両図において上）へせり出す緩やかな斜面になっている。
【００１８】
図８（ａ）に示すように、外筐３１の鍔３１ｂは、突出部３５ａを囲むようにして、一対の翼部３５の上下の縁、及び閉側の翼部３５の先端側の縁にも形成されている。図８（ｂ）に示すように、鍔３１ｂの前側面（同図において上面）は、外筐３１の左右方向の中央部が僅かに前側（同図において上）へ突出し、そこから翼部３５の先端側に向かうにしたがって後側（同図において下）へ反る緩やかな斜面になっている。
【００１９】
図１０に示すように、外筐３１の左右の壁３１ｈには外筐側係合部３１ｃが設けられている。外筐側係合部３１ｃは、同図において上側の前側係合凸部３１ｄと、同図において下側の後側係合凸部３１ｅを有し、これら前後の係合凸部３１ｄ，３１ｅの間に係合凹部３１ｆが形成されている。前側係合凸部３１ｄの先端面は、後側（同図において下）に向かうにしたがって内側へ傾く斜面になっている。後側係合凸部３１ｅは、側壁３１ｈと筐底部３１ｇとの角に配置されている。
【００２０】
図７及び図１１に示すように、内筐３２は、長手方向を左右に向けて前側（図１１（ａ）において紙面手前、同図（ｂ）において上）に開口された大略直方体の樹脂にて構成されている。内筐３２の開口３２ａの縁には全周にわたって鍔３２ｂが設けられている。
【００２１】
図１１（ｂ）に示すように、内筐３２には、左右の壁３２ｃから内筐底部３２ｄに及ぶ切欠部３２ｅが形成されている。図７に示すように、左右の壁３２ｃにおける切欠部３２ｅは、該壁３２ｃの中間部から内筐底部３２ｄへ延びている。図１１（ａ）に示すように、内筐底部３２ｄにおける切欠部３２ｅは、壁２３ｃと内筐底部３２ｄとの隅角部に沿って内筐底部３２ｄの幅方向のほぼ全体に及び、中間部が、壁３２ｃの切欠部３２ｅに連なっている。
【００２２】
図１１（ａ）及び（ｂ）に示すように、内筐３２の筐底部３２ｄの中央部には、中心孔３２ｆが形成されている。この中心孔３２ｆの外側に円筒部３２ｇが前側（図１１（ａ）において紙面手前）へ向けて突設されている。円筒部３２ｇの内径は中心孔３２ｆより大きく、円筒部３２ｇの底部と中心孔３２ｆとの間に環状の段差３２ｈが形成されている。図４〜図６に示すように、円筒部３２ｇには、圧縮コイルばね３４の後端部分が収容されている。段差３２ｈは、圧縮コイルばね３４のための受け座になっている。
【００２３】
図７及び図１２に示すように、つまみ部材３３は、樹脂にて構成され、その前板３３ａは、長手方向を左右に向けた大略長方形の板状をなしている。図８（ａ）にも示すように、前板３３ａの左右中央部には、つまみ用の凸部３３ｂが、前方（図８（ａ）において紙面手前）へ突出するとともに前板３３ａの短手方向（上下）に延びるように形成されている。
【００２４】
図７及び図１２に示すように、前板３３ａの左右の縁の中央部から一対のつまみ側係合部３３ｃが後方（図１２において下）へ突設されている。つまみ側係合部３３ｃの先端部は、係止爪３３ｄになっている。前板３３ａの四隅からは板状のガイド脚部３３ｅが後方（図１２において下）へ突設されている。さらに、前板３３ａの裏面の中央部には、長い円筒状の軸部３３ｆが後方（図１２において下）へ突設されている。この軸部３３ｆに圧縮コイルばね３４が外挿されるようになっている。
【００２５】
操作つまみ３０の各部材の組み立て構造及び換気装置１０への組み付け構造を説明する。
図４〜図６に示すように、操作つまみ３０の外筐３１は、前側開口３１ａが操作窓１４ｂに臨むようにして換気本体１１の内部に収容されている。図４に示すように、外筐３１の上下の鍔３１ｂにおける左右方向の中央部分が、前壁１４の操作窓１４ｂの上下の縁の裏面に当たっている。また、図５及び図６に示すように、少なくとも一方の翼部３５の突出部３５ａが、前壁１４の裏面に当たるようになっている。
【００２６】
外筐３１は、開閉板２０に形成されたつまみ係合穴２０ａに嵌め込まれている。
【００２７】
外筐３１の内部に内筐３２が収容されている。外筐３１の外筐側係合部３１ｃは、内筐３２の切欠部３２ｅに挿入され、内筐３２の内部に臨んでいる。
【００２８】
内筐３２の前側開口３２ａは、操作窓１４ｂから前方へ突出され、鍔３２ｂが、前壁１４の操作窓１４ｂの縁の表側面に係止されている。
【００２９】
図７に示すように、内筐３２の左右の側壁３２ｃは、中央部が外側へ少し突き出て平面視で山形になっている。図１１（ａ）の仮想線に示すように、この内筐３２の側壁輪郭に合わせて、操作窓１４ｂの左右両端の縁も、中央部が左右外側へ少し突き出る山形になっている。
【００３０】
内筐３２の内部につまみ部材３３が収容されている。
図９に示すように、つまみ部材３３を内筐３２の中に挿入していくと、係止爪３３ｄの先端の斜面が、切欠部３２ｅから内筐３２内に臨む係合凸部３１ｄの斜面に当たる。この斜面どうしの案内作用により、同図の仮想線に示すように、つまみ側係合部３３ｃを内側へ弾性変形させることができる。これにより、係止爪３３ｄが前側係止凸部３１ｄを乗り越え、係合凹部３１ｆに嵌まるようになっている。
【００３１】
こうして、図５及び図６に示すように、つまみ側係合部３３ｃが外筐側係合部３１ｃに係止されている。これにより、つまみ部材３３と外筐３１が、内筐３２の切欠部３２ｅを通して結合されている。係合状態のつまみ部材３３と外筐３１とは、ほとんど相対変位不能になり、ほぼ一体化されている。
つまみ部材３３のガイド脚部３３ｅの先端は、内筐底部３２ｄの切欠部３２ｅに差し入れられている。
つまみ部材３３の軸部３３ｆは、内筐３２の円筒部３２ｇに差し入れられ、更に軸部３３ｆの先端部は、内筐３２の中心孔３２ｆに差し入れられている。
【００３２】
つまみ部材３３は、内筐３２の内部において前後方向に移動可能になっている。外筐３１もこのつまみ部材３３と一体に前後方向に移動可能になっている。
【００３３】
図４〜図６に示すように、つまみ部材３３と内筐３２との間に圧縮コイルばね３４が圧縮状態で介在されている。圧縮コイルばね３４は、軸部３３ｆに外挿されるとともに、後側部分が円筒部３２ｇと軸部３３ｆとの間の環状空間３０ａに収容されている。圧縮コイルばね３４の前端部は、つまみ部材３３の前板３３ａに突き当てられ、圧縮コイルばね３４の後端部は、内筐３２の段差３２ｈに突き当てられている。
【００３４】
この圧縮コイルばね３４のばね力によって、つまみ部材３３が前方へ付勢され、内筐３２が後方へ付勢されている。つまみ部材３３が前方へ付勢されることにより、つまみ部材３３と一体に結合された外筐３１も前方へ付勢されている。
【００３５】
これにより、図４に示すように、内筐３２の上下の鍔３２ｂが、前壁１４の操作窓１４ｂの上下の縁の表側面に弾性的に押し当てられ、外筐３１の鍔３１ｂの左右中央部が、前壁１４の操作窓１４ｂの上下の縁の裏面に弾性的に押し当てられている。よって、内筐３２と外筐３１とが、前壁１４の操作窓１４ｂの上下の縁を前後から挟み付けている。したがって、操作つまみ３０は、換気本体１１の前壁１４と後壁１５のうち前壁１４にのみ係合されている。  外筐３１の後側面（図５において右面）は後壁１５から離れ、外筐３１と後壁１５との間には隙間が形成されている。
【００３６】
図５及び図６に示すように、操作つまみ３０は、前壁１４の操作窓１４ｂの上下の縁に係合した状態で操作窓１４ｂの左右長手方向に沿って開位置（図５）と閉位置（図６）との間でスライド可能になっている。
【００３７】
図５に示すように、操作つまみ３０が開位置のとき、内筐３２の一方の壁３２ｃが操作窓１４ｂの一方の縁に突き当たる。さらに、圧縮コイルばね３４の付勢によって、同じ側の翼部３５の突出部３５ａが、前壁１４の裏面に弾性的に押し当てられるとともに、つまみ部材３３及び外筐３１が若干傾斜され、反対側の翼部３５の先端縁が、操作窓１４ｂの反対側の縁に係止されるようになっている。これによって、操作つまみ３０がスライド不能にロックされる。
【００３８】
図６に示すように、操作つまみ３０が閉位置のとき、内筐３２の上記開位置のときとは反対側の壁３２ｃが操作窓１４ｂの上記反対側の縁に突き当たる。さらに、圧縮コイルばね３４の付勢によって、上記反対側の翼部３５の突出部３５ａが、前壁１４の裏面に弾性的に押し当てられるとともに、つまみ部材３３及び外筐３１が開位置のときとは反対側に若干傾斜され、上記一方の翼部３５の突出部３５ａの先端縁が、操作窓１４ｂの上記一方の縁に係止されるようになっている。これによって、操作つまみ３０がスライド不能にロックされる。
【００３９】
操作つまみ３０が開位置又は閉位置の状態で、つまみ部材３３を奥側へ押すと、これと一体結合された外筐３１も奥側へ押し動かされ、操作窓１４ｂの縁に係止されていた翼部３５が操作窓１４ｂより奥に引っ込む。これにより、操作つまみ３０のロックが解除され、開位置から閉位置へ、又は閉位置から開位置へ左右にスライドさせることができる。
【００４０】
この操作つまみ３０の左右スライドに伴ない、外筐３１に係合された開閉板２０が左右にスライドされるとともにカム部材１６にて回転させられる。これによって、通気路１０ａを開閉操作することができる。
【００４１】
換気装置１０によれば、操作つまみ３０を、前壁１４と後壁１５のうち前壁１４にのみ係合させることができる。したがって、前壁１４と後壁１５との間の距離精度によって、ロック解除が不能になったり、操作窓１４ｂの奥に嵌り込んで取れなくなったりすることはなく、安定的に開閉操作することができる。また、前壁１４と後壁１５との間の距離に応じて、圧縮コイルばね３４の付勢力が変動することはなく、付勢力を一定にすることができる。
さらに、操作つまみ３０は、前壁１４と後壁１５との間の距離が異なる別仕様の換気装置１０にも適用でき、標準化が可能である。
【００４２】
本発明は、上記実施形態に限定されるものではなく、種々の改変をなすことができる。
例えば、換気装置１０は、上下に延びていてもよい。操作つまみ３０が上下にスライド操作されるようになっていてもよい。
外筐３１は、前側だけでなく、後側にも開口されていてもよく、外筐３１の筐底部３１ｇを省略してもよい。
操作つまみ３０が、内筐３２の鍔３２ｂと外筐３１とで前壁１４の操作窓１４ｂの縁を前後から挟み付けるのに代えて、内筐３２の前側の縁だけで前壁１４の操作窓１４ｂの縁に脱落不能に係合されるようになっていてもよい。その場合、外筐３１を省略してもよい。内筐３２に開閉板２０を直接係合させてもよい。内筐３２に、つまみ部材３３の前方への変位位置を規制する規制部を設けてもよい。
弾性部材は、圧縮コイルばね３４に限られず、板バネ等の他のバネでもよく、ゴムでもよい。つまみ部材３３や内筐底部３２ｄに弾性部材として板バネ部が一体的に設けられていてもよい。
【図面の簡単な説明】
【００４３】
【図１】換気装置の正面図であり、（ａ）は操作つまみが開位置の状態を示し、（ｂ）は操作つまみが閉位置の状態を示す。
【図２】換気装置の裏面図である。
【図３】上記換気装置の側面断面図であり、閉位置の開閉板を実線で示し、開位置の開閉板を仮想線で示す。
【図４】上記換気装置の操作つまみの側面断面図である。
【図５】開状態の上記換気装置を図１（ａ）のV-V線に沿って示す平面断面図である。
【図６】閉状態の上記換気装置を図１（ｂ）のVI-VI線に沿って示す平面断面図である。
【図７】上記操作つまみの分解斜視図である。
【図８（ａ）】上記操作つまみの正面図である。
【図８（ｂ）】上記操作つまみの平面図である。
【図９】上記操作つまみを換気本体の前壁に装着する途中の様子を示す平面断面図である。
【図１０】上記操作つまみの外筐の平面断面図である。
【図１１（ａ）】上記操作つまみの内筐の正面図であり、操作窓を仮想線で示す。
【図１１（ｂ）】上記操作つまみの内筐の平面断面図であり、前壁を仮想線で示す。
【図１２】上記操作つまみのつまみ部材の平面断面図である。
【図１３】従来の換気装置の平面断面図である。
【符号の説明】
【００４４】
１０      換気装置
１０ａ    通気路
１１      換気本体
１４      前壁
１４ｂ    操作窓
１５      後壁
２０      開閉板
２０ａ    開閉板のつまみ係合穴
３０      操作つまみ
３１      外筐
３１ａ    外筐の前側開口
３１ｃ    外筐側係合部
３２      内筐
３２ａ    内筐の前側開口
３２ｂ    内筐の鍔（前壁への係合部）
３２ｄ    内筐の筐底部
３２ｅ    切欠部
３２ｈ    段差（弾性部材の受け座）
３３      つまみ部材
３３ｃ    つまみ側係合部
３４      圧縮コイルばね（弾性部材）
３５      翼部
【図１】
0004891852.tif 000002
【図２】
0004891852.tif 000003
【図３】
0004891852.tif 000004
【図４】
0004891852.tif 000005
【図５】
0004891852.tif 000006
【図６】
0004891852.tif 000007
【図７】
0004891852.tif 000008
【図８（ａ）】
0004891852.tif 000009
【図８（ｂ）】
0004891852.tif 000010
【図９】
0004891852.tif 000011
【図１０】
0004891852.tif 000012
【図１１（ａ）】
0004891852.tif 000013
【図１１（ｂ）】
0004891852.tif 000014
【図１２】
0004891852.tif 000015
【図１３】
0004891852.tif 000016